(57)【要約】【課題】本発明は、１台の光無線親局と複数台の光無線子局とが通信するための光無線通信システム及び光無線通信方法を提供することを目的とする。【解決手段】本発明は、下り信号光を受信する子局光受信部と、上り信号光を送信する子局光送信部と、１対Ｎ通信を制御する子局通信制御部と、を有する光無線子局、及び前記光無線子局への下り信号光を送信する親局光送信部と、前記親局光送信部からの下り信号光の送信方向を制御する送信方向制御部と、前記光無線子局からの上り信号光の受信方向を制御する受信方向制御部と、前記受信方向制御部からの上り信号光を受信する親局光受信部と、複数の前記光無線子局との間の１対Ｎ通信を制御する親局通信制御部と、を有する光無線親局、を備える光無線通信システムである。【選択図】図３
2015095839.tif 000002
【特許請求の範囲】
【請求項１】
下り信号光を受信する子局光受信部と、
上り信号光を送信する子局光送信部と、
１対Ｎ通信を制御する子局通信制御部と、を有する光無線子局、
及び
前記光無線子局への下り信号光を送信する親局光送信部と、
前記親局光送信部からの下り信号光の送信方向を制御する送信方向制御部と、
前記光無線子局からの上り信号光の受信方向を制御する受信方向制御部と、
前記受信方向制御部からの上り信号光を受信する親局光受信部と、
複数の前記光無線子局との間の１対Ｎ通信を制御する親局通信制御部と、を有する光無線親局、
を備える光無線通信システム。
【請求項２】
前記光無線親局からの下り信号光を前記光無線子局に向けて反射し、前記光無線子局からの上り信号光を前記光無線親局に向けて反射する反射装置をさらに備え、
前記送信方向制御部は、前記反射装置に向けて下り信号光の送信方向を制御し、
前記受信方向制御部は、前記反射装置から受信できるよう上り信号光の受信方向を制御することを特徴とする請求項１に記載の光無線通信システム。
【請求項３】
前記光無線子局周辺を撮影するカメラ及び前記カメラの撮影した画像から前記光無線子局の配置又は前記光無線子局の周辺環境を検出する検出部をさらに備え、
前記送信方向制御部は、前記検出部の検出した前記光無線子局の位置又は前記光無線子局の周辺環境に基づいて下り信号光の送信方向を制御し、
前記受信方向制御部は、前記検出部の検出した前記光無線子局の位置又は前記光無線子局の周辺環境に基づいて上り信号光の受信方向を制御することを特徴とする請求項１に記載の光無線通信システム。
【請求項４】
前記光無線子局周辺を撮影するカメラ及び前記カメラの撮影した画像から前記光無線子局の配置又は前記光無線子局の周辺環境を検出する検出部をさらに備え、
前記送信方向制御部は、前記検出部の検出した前記光無線子局の位置、前記光無線子局の周辺環境又は前記反射装置の配置に基づいて下り信号光の送信方向を制御し、
前記受信方向制御部は、前記検出部の検出した前記光無線子局の位置、前記光無線子局の周辺環境又は前記反射装置の配置に基づいて上り信号光の受信方向を制御することを特徴とする請求項２に記載の光無線通信システム。
【請求項５】
光無線親局は送信方向を制御して光無線子局への下り信号光を送信し、
前記光無線子局は前記光無線親局からの下り信号光を受信して前記光無線親局への上り信号光を送信し、
前記光無線親局は受信方向を制御して前記光無線子局からの上り信号光を受信し、
前記光無線親局と複数の前記光無線子局との間で１対Ｎ通信を実行する光無線通信方法。
【請求項６】
反射装置で、前記光無線親局からの下り信号光を前記光無線子局に向けて反射し、前記光無線子局からの上り信号光を前記光無線親局に向けて反射することを特徴とする請求項５に記載の光無線通信方法。
【請求項７】
前記光無線子局周辺を撮影するカメラの撮影した画像から前記光無線子局の配置又は前記光無線子局の周辺環境を検出し、
前記光無線親局は、検出した前記光無線子局の位置又は前記光無線子局の周辺環境に基づいて前記下り信号光の送信方向及び前記上り信号光の受信方向を制御することを特徴とする請求項５に記載の光無線通信方法。
【請求項８】
前記光無線子局周辺を撮影するカメラの撮影した画像から前記光無線子局の配置又は前記光無線子局の周辺環境を検出し、
前記光無線親局は、検出した前記光無線子局の位置、前記光無線子局の周辺環境又は前記反射装置の配置に基づいて下り信号光の送信方向及び上り信号光の受信方向を制御することを特徴とする請求項６に記載の光無線通信方法。
【発明の詳細な説明】
【技術分野】
【０００１】
本発明は、１台の光無線親局と複数台の光無線子局とが通信するための光無線通信システム及び光無線通信方法に関する。
【背景技術】
【０００２】
従来の光無線通信システムの構成を図１に示す。図１では通信ルーム９１１に設置された光無線親局９０１−１〜９０１−３と光無線子局９０２−１〜９０２−３がそれぞれ１対１で接続され、相互に通信を行っている。さらに、複数台の光無線親局９０１−１〜９０１−３をホームゲートウェイ（ＨＧＷ）９０３で束ねることで、室内の複数の光無線子局９０２−１〜９０２−３が同時に通信を行うことができる。搬送波である光の指向性が高く且つ光無線親局からの信号が到達する範囲であるカバーエリア９１２−１〜９１２−３は固定されているため、従来の光無線通信システムでは、一つの光無線親局と通信を行うことができるカバーエリア９１２−１〜９１２−３は非常に狭かった。
【０００３】
図１では複数台の光無線親局９０１−１〜９０１−３の全カバーエリア９１２−１〜９１２−３が室内全体を覆い尽くしていないため、光無線子局９０２−１〜９０２−３の位置によっては光無線通信が行えないエリアができる。光は指向性を持つため、光無線親局を用いて室内の任意の地点での光無線子局との通信を行うには、部屋の広さに応じて光無線親局の設置台数を増やす方法がある。
【０００４】
１２個の光無線親局が設置された部屋を図２に示す。図２では、通信ルーム９１１内の複数台の光無線親局９０１の全カバーエリアが室内全体を覆い尽くしているため、室内の任意の地点で光無線子局との通信をカバーすることができる。
【先行技術文献】
【非特許文献】
【０００５】
【非特許文献１】Ｉｎｄｏｏｒ  Ｏｐｔｉｃａｌ  Ｗｉｒｅｌｅｓｓ  Ｌｏｃａｌｉｚａｔｉｏｎ Ｓｙｓｔｅｍ  ｗｉｔｈ  Ｈｅｉｇｈｔ  Ｅｓｔｉｍａｔｉｏｎ  ｆｏｒ  Ｈｉｇｈ−Ｓｐｅｅｄ  Ｗｉｒｅｌｅｓｓ  Ｃｏｍｍｕｎｉｃａｔｉｏｎｓ  ｉｎ  Ｐｅｒｓｏｎａｌ  Ａｒｅａｓ，  Ｋｅ  Ｗａｎｇ  ｅｔｃ．，  ｐｐ．７２―７５，２０１２，ＩＥＥＥ
【発明の概要】
【発明が解決しようとする課題】
【０００６】
しかし、光無線子局と等しい数の光無線親局を設置することは、ネットワーク設備の増大を招き、設備投資コストが高くなる。さらに、１対１で光無線通信を行う方法では、あるエリアで最大何台の子局が通信する可能性があるのかを予め見積って、室内の光無線親局を設置する必要があるため、設備投資計画が難しくなる。
【０００７】
そこで、前記課題を解決するために、本発明は、１台の光無線親局と複数台の光無線子局とが効率的に通信するための光無線通信システム及び光無線通信方法を提供することを目的とする。
【課題を解決するための手段】
【０００８】
上記目的を達成するため、本発明は、光無線親局の下り信号光の送信方向及び上り信号光の受信方向を制御して、１台の光無線親局とＮ台の光無線子局とが１対Ｎ通信（ポイント−マルチポイント通信）する光無線通信システム及び光無線通信方法とした。
【０００９】
具体的には、本発明は、
下り信号光を受信する子局光受信部と、
上り信号光を送信する子局光送信部と、
１対Ｎ通信を制御する子局通信制御部と、を有する光無線子局、
及び
前記光無線子局への下り信号光を送信する親局光送信部と、
前記親局光送信部からの下り信号光の送信方向を制御する送信方向制御部と、
前記光無線子局からの上り信号光の受信方向を制御する受信方向制御部と、
前記受信方向制御部からの上り信号光を受信する親局光受信部と、
複数の前記光無線子局との間の１対Ｎ通信を制御する親局通信制御部と、を有する光無線親局、
を備える光無線通信システムである。
本発明は、１台の光無線親局と複数台の光無線子局とが効率的に通信するための光無線通信システムを提供することができる。
【００１０】
本発明は、
前記光無線親局からの下り信号光を前記光無線子局に向けて反射し、前記光無線子局からの上り信号光を前記光無線親局に向けて反射する反射装置をさらに備え、
前記送信方向制御部は、前記反射装置に向けて下り信号光の送信方向を制御し、
前記受信方向制御部は、前記反射装置から受信できるよう上り信号光の受信方向を制御すること光無線通信システムであってもよい。
本発明の光無線通信システムは、新たに設置した装置や室内の人などの障害物があっても、１台の光無線親局と複数台の光無線子局とが効率的に通信することができる。
【００１１】
本発明は、
前記光無線子局周辺を撮影するカメラ及び前記カメラの撮影した画像から前記光無線子局の配置又は前記光無線子局の周辺環境を検出する検出部をさらに備え、
前記送信方向制御部は、前記検出部の検出した前記光無線子局の位置又は前記光無線子局の周辺環境に基づいて下り信号光の送信方向を制御し、
前記受信方向制御部は、前記検出部の検出した前記光無線子局の位置又は前記光無線子局の周辺環境に基づいて上り信号光の受信方向を制御する光無線通信システムであってもよい。
本発明の光無線通信システムは、カメラの撮影した画像に基づいて、１台の光無線親局と複数台の光無線子局とが効率的に通信することができる。
【００１２】
本発明は、
前記光無線子局周辺を撮影するカメラ及び前記カメラの撮影した画像から前記光無線子局の配置又は前記光無線子局の周辺環境を検出する検出部をさらに備え、
前記送信方向制御部は、前記検出部の検出した前記光無線子局の位置、前記光無線子局の周辺環境又は前記反射装置の配置に基づいて下り信号光の送信方向を制御し、
前記受信方向制御部は、前記検出部の検出した前記光無線子局の位置、前記光無線子局の周辺環境又は前記反射装置の配置に基づいて上り信号光の受信方向を制御する光無線通信システムであってもよい。
本発明の光無線通信システムは、新たに設置した装置や室内の人などの障害物があっても、カメラの撮影した画像に基づいて、１台の光無線親局と複数台の光無線子局とが効率的に通信することができる。
【００１３】
具体的には、本発明は、
光無線親局は送信方向を制御して光無線子局への下り信号光を送信し、
前記光無線子局は前記光無線親局からの下り信号光を受信して前記光無線親局への上り信号光を送信し、
前記光無線親局は受信方向を制御して前記光無線子局からの上り信号光を受信し、
前記光無線親局と複数の前記光無線子局との間で１対Ｎ通信を実行する光無線通信方法である。
本発明は、１台の光無線親局と複数台の光無線子局とが効率的に通信するための光無線通信方法を提供することができる。
【００１４】
本発明は、
反射装置で、前記光無線親局からの下り信号光を前記光無線子局に向けて反射し、前記光無線子局からの上り信号光を前記光無線親局に向けて反射する光無線通信方法であってもよい。
本発明の光無線通信方法は、新たに設置した装置や室内の人などの障害物があっても、１台の光無線親局と複数台の光無線子局とが効率的に通信することができる。
【００１５】
本発明は、
前記光無線子局周辺を撮影するカメラの撮影した画像から前記光無線子局の配置又は前記光無線子局の周辺環境を検出し、
前記光無線親局は、検出した前記光無線子局の位置又は前記光無線子局の周辺環境に基づいて前記下り信号光の送信方向及び前記上り信号光の受信方向を制御する光無線通信方法であってもよい。
本発明の光無線通信方法は、カメラの撮影した画像に基づいて、１台の光無線親局と複数台の光無線子局とが効率的に通信することができる。
【００１６】
本発明は、
前記光無線子局周辺を撮影するカメラの撮影した画像から前記光無線子局の配置又は前記光無線子局の周辺環境を検出し、
前記光無線親局は、検出した前記光無線子局の位置、前記光無線子局の周辺環境又は前記反射装置の配置に基づいて下り信号光の送信方向及び上り信号光の受信方向を制御する光無線通信方法であってもよい。
本発明の光無線通信方法は、新たに設置した装置や室内の人などの障害物があっても、カメラの撮影した画像に基づいて、１台の光無線親局と複数台の光無線子局とが効率的に通信することができる。
【００１７】
なお、上記各発明は、可能な限り組み合わせることができる。
【発明の効果】
【００１８】
以上述べたように、本発明は、1台の光無線親局と複数台の光無線子局とが効率的に通信することのできる光無線通信システム及び光無線通信方法を提供することができる。
【図面の簡単な説明】
【００１９】
【図１】従来の光無線通信システムの構成を説明する図である。
【図２】光無線親局が設置された部屋を説明する図である。
【図３】本実施形態の光無線通信システムを説明する図である。
【図４】ディスカバリーゲート信号の送信方法を説明する図である。
【図５】室内光無線ネットワークを説明する図である。
【図６】光無線親局１０１から光無線子局１２０−１〜１２０−４への下り方向の通信を説明する図である。
【図７】光無線親局１０１とカバーエリア１１２−１〜１１２−４との間の送受信方向の関係を説明する図である。
【図８】本実施形態の光無線通信システムを説明する図である。
【図９】本実施形態の光無線通信システムを説明する図である。
【発明を実施するための形態】
【００２０】
以下、本発明の実施形態について、図面を参照しながら詳細に説明する。本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２１】
（実施形態１）
本実施形態の光無線通信システムを図３に示す。本実施形態の光無線通信システムは、通信ルーム１３０内に設置された１台の光無線親局１０１、４台の光無線子局１２０−１〜１２０−４から構成される。
【００２２】
光無線子局１２０−１〜１２０−４は、光無線親局１０１からの下り信号光を受信する子局光受信部（不図示）、光無線親局１０１への上り信号光を送信する子局光送信部（不図示）及び１対Ｎ通信を制御する子局通信制御部（不図示）を有する。光無線親局１０１は、光無線子局１２０−１〜１２０−４への下り信号光を送信する親局光送信部（不図示）、親局光送信部（不図示）からの下り信号光の送信方向を制御する送信方向制御部（不図示）、光無線子局１２０−１〜１２０−４からの上り信号光の受信方向を制御する受信方向制御部（不図示）、受信方向制御部（不図示）からの上り信号光を受信する親局光受信部（不図示）及び複数の光無線子局１２０−１〜１２０−４との間の１対Ｎ通信を制御する親局通信制御部（不図示）を有する。
【００２３】
光無線親局１０１は以下の手順で光無線子局１２０−１〜１２０−３と光無線通信を行う。はじめに光無線親局１０１は、親局通信制御部（不図示）が親局光送信部（不図示）を介して、カバーするすべてのエリアに対して、ディスカバリーゲート信号を送信する。ディスカバリーゲート信号とは、光無線親局が光無線子局に対して登録の要否を聞く信号である。
【００２４】
ディスカバリーゲート信号の送信方法を図４に示す。通信ルーム１３０内を２つ以上のカバーエリアに分割する。光無線親局１０１は、親局通信制御部（不図示）でディスカバリーゲート信号を生成し、親局光送信部（不図示）で電気−光変換し、送信方向制御部（不図示）で送信方向を制御して、ある時間には一つのカバーエリアのみに光無線親局１０１がディスカバリーゲート信号を送信する。図４では室内を４つのカバーエリア１１２−１〜１１２−４に分割しているが、分割の数はこの場合に限らない。続いて、光無線子局１２０−１〜１２０−４は、子局光受信部（不図示）を介してディスカバリーゲート信号を受け取った子局通信制御部（不図示）が、光無線親局１０１に対して子局光送信部（不図示）を介してレジスタリクエスト信号を送信する。レジスタリクエスト信号とは、光無線子局が前述のディスカバリーゲート信号に応答して、光無線親局に対して登録を要求する信号である。
【００２５】
光無線親局１０１は、受信方向制御部（不図示）で受信方向を制御してレジスタリクエスト信号を受信し、親局光受信部（不図示）で光−電気変換し、親局通信制御部（不図示）でレジスタリクエスト信号を終端する。レジスタリクエスト信号を受信した光無線親局１０１は、登録を要求する光無線子局１２０−１〜１２０−４の情報を光無線親局１０１が保持するデータベースに登録する。このデータベースは、光無線子局１２０−１、１２０−２が存在するカバーエリア１１２−１の情報が含まれる。
【００２６】
ディスカバリーゲート信号やレジストリクエスト信号の搬送波の波長は、通信に用いる波長と異なる波長、例えば可視光〜赤外光の波長を用いてもよいし、通信に用いる波長と同じでもよい。
【００２７】
ディスカバリーゲート信号とレジスタリクエスト信号を通信した結果、光無線親局１０１と光無線子局１２０−１〜１２０−４は、図５に示すようなトポロジーを持つ室内光無線ネットワークを形成する。光無線親局１０１から光無線子局１２０−１〜１２０−４への下り方向の通信を図６に示す。光無線親局１０１から光無線子局１２０−１〜１２０−４への下り方向の通信において、光無線親局１０１の送信方向制御部（不図示）は、図６に示すように親局光送信部（不図示）の送信する下り信号光の送り先に応じて下り信号光の送信方向を制御して、送信方向のカバーエリアＴｘを動的に変化させることで、例えば、光無線親局１０１が割り当てた光無線子局１２０−１への下り信号光を正確に送信し、他のカバーエリアへの予期せぬ下り信号光の重複配信を防ぐことができる。
【００２８】
さらに、光無線子局１２０−１〜１２０−４から光無線親局１０１への上り方向の通信において、子局光送信部（不図示）の送信する上り信号光の受け先に応じて上り信号光の受信方向を制御して、図６のカバーエリアＲｘに示すように動的に変化させることで、例えば、光無線親局１０１が割り当てた光無線子局１２０−１からの上り信号光のみ正確に受信し、他のカバーエリアからの予期せぬ上り信号光との信号衝突を防ぐことができる。
【００２９】
光無線親局１０１とカバーエリア１１２−１〜１１２−４との間の送受信方向の関係を図７に示す。光無線親局１０１は、親局光送信部１０２、親局光受信部１０３、送信方向制御部１０４、受信方向制御部１０５を有する。
【００３０】
送信方向制御部１０４及び受信方向制御部１０５とカバーエリア１１２−１〜１１２−４との間に示されている矢印は、それぞれ下り信号光及び上り信号光の指向性を示している。図７では光無線親局１０１の下り信号光はカバーエリア１１２−１に向けられており、上り信号光の受信方向もカバーエリア１１２−１からの信号を受けるように制御されている。光無線親局１０１の下り信号光の送信方向又は上り信号光の受信方向を変えるには、モータによる機械的な制御（非特許文献１）、ＭＥＭＳミラー又はＫＴＮ結晶による電気的な制御が考えられる。送信方向又は受信方向の制御の精密さに応じてこれらの制御手段を選択したり、あるいは組み合わせたりすることができる。
【００３１】
光無線子局１２０−１〜１２０−４から光無線親局１０１への上り方向の通信において、光無線親局１０１の親局通信制御部（不図示）は、光無線親局１０１の有する登録情報に基づき、光無線子局１２０−１〜１２０−４に対して、親局光送信部１０２を介して、一定の周期でゲートメッセージを送信する。ゲートメッセージとは、光無線親局１０１から光無線子局１２０−１〜１２０−４に対して上り信号の帯域割当を聞く信号である。
【００３２】
光無線子局１２０−１〜１２０−４の子局通信制御部（不図示）は、子局光受信部（不図示）を介して受信した光無線親局１０１からのゲートメッセージに対して、子局光送信部（不図示）を介してレポートメッセージを送信し、上り信号の割り当て要求量を通知する。レポートメッセージとは、光無線子局が前述のゲートメッセージに応答して、光無線親局に対して上り信号の帯域割当を要求したり、光無線親局が光無線子局に対して帯域割当を通知したりする信号である。
【００３３】
光無線親局１０１の親局通信制御部（不図示）は、親局光受信部１０３を介して光無線子局１２０−１〜１２０−４から届いた割り当て要求量をもとに光無線子局１２０−１〜１２０−４の送信許可時間を計算する。光無線親局１０１の親局通信制御部（不図示）は、親局光送信部１０２を介してレポートメッセージとして光無線子局１２０−１〜１２０−４に送信する。この動的帯域割当により、光無線子局１２０−１〜１２０−４があるカバーエリアに２台以上存在する場合に、当該カバーエリア内の上り信号の帯域割当量を公平に分配することができる。さらに、動的帯域割当により、室内に光無線子局が密集しているカバーエリアと疎なカバーエリアがあってもカバーエリアによらず個々の光無線子局の上り信号の帯域割当量を公平に分配することができる。
【００３４】
（実施形態２）
本実施形態の光無線通信システムを図８に示す。本実施形態の光無線通信システムは、さらに、周辺を撮影するカメラ１４０及びカメラ１４０の撮影した画像から光無線子局１２０−１〜１２０−４の配置又は光無線子局１２０−１〜１２０−４の周辺環境を検出する検出部（不図示）を通信ルーム１３０内に備える。カメラ１４０はネットワーク接続機能を備えたネットワークカメラであってもよい。検出部（不図示）を通信ルーム１３０の外に備えてもよい。
【００３５】
検出部（不図示）はカメラ１４０の撮影した光無線子局１２０−１〜１２０−４の周辺の画像から、光無線子局１２０−１〜１２０−４の配置、存在するカバーエリアに関する情報や障害物に関する情報を取得することができる。
【００３６】
光無線親局１０１は以下の手順で光無線子局１２０−１〜１２０−４と光無線通信を行う。はじめに検出部（不図示）は、カメラ１４０の撮影した画像から通信ルーム１３０内の光無線子局の数とそれぞれが存在するカバーエリアについての情報を取得しデータベースに登録する。次に、光無線親局１０１の送信方向制御部（不図示）は、データベースの登録情報に基づき、光無線子局１２０−１〜１２０−４が存在するカバーエリアに向けて送信できるよう、親局光送信部（不図示）からの下り信号光の送信方向を制御する。光無線親局１０１の受信方向制御部（不図示）は、データベースの登録情報に基づき、光無線子局１２０−１〜１２０−４が存在するカバーエリアから親局光受信部が受信できるよう、上り信号光の受信方向を制御する。
【００３７】
カメラ１４０の撮影した画像に基づいて、下り信号光の送信方向を制御することによって、光無線親局１０１が割り当てた光無線子局１２０−１への下り信号光を効率的、動的に最適制御して送信し、他のカバーエリアへの予期せぬ下り信号光の重複配信を防ぐことができる。また、カメラ１４０の撮影した画像に基づいて、上り信号光の受信方向を制御することによって、光無線親局１０１が割り当てた光無線子局１２０−１からの上り信号光を効率的、動的に最適制御して受信し、他のカバーエリアからの予期せぬ上り信号光との信号衝突を防ぐことができる。
【００３８】
光無線親局１０１と光無線子局１２０−１〜１２０−４との１対Ｎ通信制御については、前述した実施形態と同様である。
【００３９】
（実施形態３）
本実施形態の光無線通信システムを図９に示す。本実施形態の光無線通信システムは、さらに、反射装置１５０−１〜１５０−４を通信ルーム１３０内に備える。反射装置１５０−１〜１５０−４は、光無線親局１０１からの下り信号光を光無線子局１２０−１〜１２０−４に向けて反射し、光無線子局１２０−１〜１２０−４からの上り信号光を光無線親局１０１に向けて反射する。
【００４０】
図９に示すように、光無線親局１０１と光無線子局１２０−１〜１２０−４との間の直線光路上に障害物１６０があっても、光無線親局１０１と光無線子局１２０−１〜１２０−４との間で、反射装置１５０−１〜１５０−４を利用した通信に切り替えることができる。反射装置１５０−１〜１５０−４を利用した通信により、新たに設置した装置や室内の人などの障害物１６０があっても、光無線通信システムの信頼性を確保することができる。
【００４１】
さらに、周辺を撮影するカメラ１４０及びカメラ１４０の撮影した画像から光無線子局１２０−１〜１２０−４の配置又は光無線子局１２０−１〜１２０−４の周辺環境を検出する検出部（不図示）を備えると、室内の人の出入りなど動的な障害物１６０があっても、光無線親局１０１が割り当てた光無線子局１２０−１への下り信号光を効率的、動的に最適制御して送信し、他のカバーエリアへの予期せぬ下り信号光の重複配信を防ぐことができる。また、光無線親局１０１が割り当てた光無線子局１２０−１からの上り信号光を効率的、動的に最適制御して受信し、他のカバーエリアからの予期せぬ上り信号光との信号衝突を防ぐことができる。
【産業上の利用可能性】
【００４２】
本発明は、情報通信産業に適用することができる。
【符号の説明】
【００４３】
９１１：通信ルーム
９０１−１〜９０１−３：光無線親局
９０２−１〜９０２−３：光無線子局
９０３：ホームゲートウェイ（ＨＧＷ）
９１２、９１２−１〜９１２−３：カバーエリア
１０１：光無線親局
１０２：親局光送信部
１０３：親局光受信部
１０４：送信方向制御部
１０５：受信方向制御部
１１２−１〜１１２−４：カバーエリア
１２０−１〜１２０−４：光無線子局
１３０：通信ルーム
１４０：カメラ
１５０−１〜１５０−４：反射装置
１６０：障害物
【図１】
2015095839.tif 000003
【図２】
2015095839.tif 000004
【図３】
2015095839.tif 000005
【図４】
2015095839.tif 000006
【図５】
2015095839.tif 000007
【図６】
2015095839.tif 000008
【図７】
2015095839.tif 000009
【図８】
2015095839.tif 000010
【図９】
2015095839.tif 000011